【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
数Ｎｐｅの電気位相を含む本発明による同極構造を有する回転電気機械であって、
−回転電気機械の回転軸に巻付けられた少なくとも１つの誘導コイルの両側に設置された、数Ｎｐの極を有する少なくとも一対の電機子の、回転電気機械の回転軸に沿う並置であって、前記隣接する電機子は、任意の電気角θｓだけ角度オフセットする、前記少なくとも一対の前記電機子の並置、
−空気ギャップによって前記電機子から分離された、強磁性材料で少なくとも部分的に構成された少なくとも１つの受動インダクタ
で構成され、
前記電機子及び前記インダクタの一方は、回転可能でありかつ少なくとも１つの回転子を構成し、前記電機子及び前記インダクタの他方は、固定でありかつ少なくとも１つの固定子を構成することを特徴とする、回転電気機械。
【請求項２】
前記インダクタはＮｐのインダクタバーを含み、前記Ｎｐのインダクタバーは、軸方向に配向し、機械の軸方向長さを実質的に覆い、前記バーを接続する支持体に取付けられることを特徴とする、請求項１に記載の回転電気機械。
【請求項３】
前記誘導コイルは、前記インダクタの各バーを通ってずっと前記空気ギャップを半径方向に横断し、一方の側で入り、他の側で出て、前記インダクタの２つの隣接部品の上及び下を半径方向にそれぞれ通過することを特徴とする、請求項１又は２に記載の回転電気機械。
【請求項４】
前記誘導コイルは、前記対の電機子の前記電機子の間に完全に位置し、前記空気ギャップを交差しないことを特徴とする、請求項１及び２のいずれか１項に記載の回転電気機械。
【請求項５】
前記インダクタバーはねじられ、前記インダクタバーの軸方向端部は角度オフセットされることを特徴とする、請求項２から４のいずれか１項に記載の回転電気機械。
【請求項６】
前記インダクタバーは、前記電機子及び前記誘導コイル（複数可）を含むゾーンの向かいにそれぞれ位置決めされる幾つかの部分に分割され、前記部分（複数可）は、前記電機子に留められる前記誘導コイル（複数可）を含むゾーンに対向することを特徴とする、請求項２から５のいずれか１項に記載の回転電気機械。
【請求項７】
前記電機子に留められる前記インダクタバーの部分は、電機子極の中心と、前記電機子に留められる前記インダクタバーの中心との間で採取される、９０°／２Ｎｐの優先値を有する任意の値だけ、前記電機子に対して角度オフセットすることを特徴とする、請求項６に記載の回転電気機械。
【請求項８】
前記インダクタバー用の前記支持体は強磁性材料から作られることを特徴とする、請求項２に記載の回転電気機械。
【請求項９】
前記対の電機子の各電機子は、各電機子の極を接続する磁気シリンダヘッドを含み、前記電機子は、前記対向する電機子の半径方向壁を接続する磁束戻し極性部品に接続されることを特徴とする、請求項１から８のいずれか１項に記載の回転電気機械。
【請求項１０】
前記対の電機子の各電機子は、各電機子の極を接続する磁気シリンダヘッドを含み、前記シリンダヘッドは、前記インダクタの遠位電機子の非半径方向壁を囲む磁束戻し極性部品によって接続されていることを特徴とする、請求項１から９のいずれか１項に記載の回転電気機械。
【請求項１１】
前記シリンダヘッド及び前記磁束戻し極性部品は円筒状であることを特徴とする、請求項９及び１０のいずれか１項に記載の回転電気機械。
【請求項１２】
コイルによって分離される前記対の電機子の前記電機子はそれぞれ、幾つかの基本電機子で構成されることを特徴とする、請求項１から１１のいずれか１項に記載の回転電気機械。
【請求項１３】
前記インダクタはＮｐ／２のインダクタバーを含み、前記Ｎｐ／２のインダクタバーは、軸方向に配向し、機械の軸方向長さを実質的に覆い、前記バーを回転電気機械の回転軸に接続する支持体に取付けられ、前記誘導コイルは、前記対の電機子の前記電機子の間に完全に位置し、前記空気ギャップを交差しないことを特徴とする、請求項１に記載の回転電気機械。
【請求項１４】
前記誘導コイルは、回転電気機械の回転軸の方向に磁化された実質的に環状の磁石によって置換されることを特徴とする、請求項１に記載の回転電気機械。
【請求項１５】
前記磁石は、少なくとも１つの磁束集中強磁性極性部品と接触状態で配置されることを特徴とする、請求項１４に記載の回転電気機械。
【請求項１６】
前記誘導コイルは、横断平面内で、ねじれている、環状である、または波状であることを特徴とする、請求項１に記載の回転電気機械。
【請求項１７】
異なる位相の前記誘導コイルは、星型で、三角形で、又はジグザグで結合されることを特徴とする、請求項１に記載の回転電気機械。
【請求項１８】
少なくとも１つの回転子又は複数の回転子のグループに関連する少なくとも１つの固定子又は複数の固定子のグループを含むことを特徴とする、請求項１から１７のいずれか１項に記載の回転電気機械。
【請求項１９】
１つの電機子は幾つかのインダクタによって共有される、又は、１つのインダクタは幾つかの電機子によって共有されることを特徴とする、請求項１から１８のいずれか１項に記載の回転電気機械。
【請求項２０】
強磁性材料から作られた結合部品は、前記幾つかのインダクタ又は前記幾つかの電機子を接続することを特徴とする、請求項１から１９のいずれか１項に記載の回転電気機械。
【請求項２１】
前記回転子は、前記固定子（複数可）の向かいに位置する壁上に永久磁石を含むことを特徴とする、請求項１に記載の回転電気機械。
【請求項２２】
前記磁石は、前記固定子（複数可）の向かいに位置する前記壁に正接する平面に対して傾斜することを特徴とする、請求項２１に記載の回転電気機械。
【請求項２３】
前記空気ギャップを境界付ける前記極の自由表面は、軸方向に直線状に傾斜する又は湾曲する、或は、回転電気機械の回転軸を含む前記極の中央軸方向平面に対して横方向に非対称であることを特徴とする、請求項１から２２のいずれか１項に記載の回転電気機械。
【請求項２４】
前記電機子の前記極は、足部によって前記シリンダヘッドに接続された半径方向脚部を含む歯及び軸方向先端で構成され、各電機子の前記歯は、或る角度距離によって分離され、同一の歯付き構造を有する別の電機子のヘッドからテールへの入れ子を可能にし、それにより、誘導コイルの周りに前記対の電機子を形成することを特徴とし、前記先端は、少なくとも１つの階段ステップ状の湾入部を含むことを特徴とする、請求項１から２３のいずれか１項に記載の回転電気機械。
【請求項２５】
前記湾入部は、回転電気機械の回転軸からの半径方向距離に位置し、前記回転軸からの半径方向距離は、前記歯が突出する軸方向に延在する前記シリンダヘッドの壁からの半径方向距離に実質的に等しいことを特徴とする、請求項２４に記載の回転電気機械。
【請求項２６】
前記湾入部は、前記対の電機子の中央横断平面内に位置する壁を含むことを特徴とする、請求項２４に記載の回転電気機械。
【請求項２７】
前記歯は、前記シリンダヘッドに対する前記歯の接続部において側方ラグに向かって広がっていることを特徴とする、請求項２４から２６のいずれか１項に記載の回転電気機械。
【請求項２８】
前記歯は、前記シリンダヘッドから分離することを特徴とする、請求項２４から２７のいずれか１項に記載の回転電気機械。
【請求項２９】
前記シリンダヘッドは、前記歯を締結するための凹所を有することを特徴とする、請求項２４から２８のいずれか１項に記載の回転電気機械。
【請求項３０】
前記誘導コイルは、前記誘導コイルを囲む前記対の電機子の前記電機子の前記歯の前記足部の周りでねじって巻付けられることを特徴とする、請求項２４から２９のいずれか１項に記載の回転電気機械。
【請求項３１】
前記歯の前記脚部のセクションは、前記回転軸に同軸の少なくとも１つの円筒表面において、互いに平行な側壁を単一ピース又は階段を有することを特徴とする、請求項２４から３０のいずれか１項に記載の回転電気機械。
【請求項３２】
前記歯の前記脚部のセクションは、前記脚部の半径方向寸法に垂直なセクションを有する少なくとも１つの平面において、特に単一ピース又は階段の傾斜側壁、又は、湾曲側壁を有することを特徴とする、請求項２４から３０のいずれか１項に記載の回転電気機械。
【請求項３３】
前記歯の先端は、分離しており、前記脚部に取付けられることを特徴とする、請求項２４から３２のいずれか１項に記載の回転電気機械。
【請求項３４】
多相回転電気機械であって、３６０°／２Ｎｐの電気角だけ規則的にオフセットした請求項１から３３に記載の回転電気機械の同軸並置で構成されることを特徴とする、多相回転電気機械。
【請求項３５】
角度的に整列した請求項１から３３に記載の回転電気機械の同軸並置で構成され、位相間の位相シフトは、磁石又はコイル式インダクタ又は極性突出部の、前記回転子における回転によってもたらされることを特徴とする、多相回転電気機械。
【請求項３６】
中間コイルは、単相機械の間に配置されることを特徴とする、請求項３５に記載の多相回転電気機械。
【手続補正２】
【補正対象書類名】明細書
【補正対象項目名】００４５
【補正方法】変更
【補正の内容】
【００４５】
【図１】８極バージョンの簡易同極構造の説明図である。
【図２】クロー（ｂ１）及び（ｂ２）の説明図である。
【図３】２つのクロー（ａ１０）及び（ａ１１）が構造的位相（ａ１４ａ）又は（ａ１４ｂ）をどのように一般的に形成するかを示す説明図である。
【図４】電気回転機械の種々の要素が、特定のそれらの相対的な内部又は外部位置において交換可能であることを示す説明図である。
【図５】直流で給電される同極回転機械の説明図である。
【図６】部品（ｇ１）の説明図である。
【図７】組立体（ｇ１０）の説明図である。
【図８】本発明による単相回転電気機械の線図である。
【図９】図８による多相回転電気機械又は幾つかの単相回転電気機械を有する組立体の線図である。
【図１０】本発明による単相回転電気機械において使用される異なるタイプのコイルを示す図である。
【図１１】本発明による幾つかの単相回転電気機械のコイルのために使用される可能性がある電気結合モードを示す図である。
【図１２】本発明による幾つかの単相回転電気機械のコイルのために使用される可能性がある電気結合モードを示す図である。
【図１３】本発明による単相又は多相回転電気機械の部品の磁気結合を示す図である。
【図１４】本発明による歯の実施形態を示す図である。
【図１５】本発明による歯の代替の実施形態を提案する図である。
【図１６】本発明による歯の別の代替の実施形態を示す図である。
【図１７】本発明による固定子の歯及びシリンダヘッドの一部の部分斜視図である。
【図１８】本発明による、誘導コイルと協働する異なるモデルの歯を有する固定子のシリンダヘッドの複数の部分を示す図である。
【図１９】本発明による歯足部又は極の幾つかのタイプの断面を示す図である。
【図２０】本発明によるシリンダヘッドから分離される歯の実施形態を示す図である。
【図２１】本発明による歯付きシリンダヘッドの実施形態を示す図である。
【図２２】本発明による永久磁石で構成される回転子の磁石の傾斜設置の例を示す図である。
【図２３】本発明による、極の傾斜又は対称性による空気ギャップの幅の調節の実施形態を示す図である。
【図２４】本発明による、極の傾斜又は対称性による空気ギャップの幅の調節の実施形態を示す図である。
【図２５】本発明による、２部品における歯又は極の１つの特定の実施形態を示す図である。
【図２６】本発明による、インダクタのインダクタバーの上及び下を交互に通過する誘導コイルを有する同極モータ構造を示す図である。
【図２７】本発明によるインダクタバーの例示的な実施形態を示す図である。
【図２８】図２６のインダクタバーの代替の実施形態を示す図である。
【図２９】本発明による誘導コイルの両側に設置された幾つかの電機子を有する代替の実施形態を示す図である。
【図３０】本発明による同極モータ用の幾つかの考えられる構成を示す図である。
【図３１】本発明による２重構造を有する同極モータを示す図である。
【図３２】図３１の２重構造を有する同極モータ用のインダクタバーの例示的な実施形態を示す図である。
【図３３】図３１の２重構造同極モータ用の、本発明による誘導コイルの両側に設置された幾つかの電機子を有する代替の実施形態を示す図である。
【図３４】本発明による同極モータ部品の異なる代替の実施形態を示す図である。
【図３５】本発明による同極モータ部品の異なる代替の実施形態を示す図である。
【図３６】本発明による同極モータ部品の異なる代替の実施形態を示す図である。
【図３７】本発明によるモータと電子コントロールとの間の協働のための異なる解決策を示す図である。